(57)【要約】      （修正有）【課題】回路遮断器に特別な加工や操作ハンドルに特別な取り付け作業を行わなくとも、操作ハンドルの操作抑制が行え、操作の制対象回路が容易に判別できるとともに、紛失の恐れがなく低コストで確実に抑制を行うことができるハンドル操作抑制部材を提供する。【解決手段】前記回路遮断器の操作ハンドルを被包するハンドル被包部１０１と、該ハンドル被包部１０１から前記回路遮断器の電源側に延設された延設部１０２と負荷側に延設された延設部１０３とを設け、前記電源側延設部１０２には導体装置の絶縁部に取り付けされるハンドル操作抑制抑制部材取付手段１０２１が設けられ、前記負荷側延設部１０３には前記回路遮断器と分電盤の外郭を構成するカバーとの間に挟まれる挟まれ部１０３１を設けた。【選択図】図１
2008112645.tif 000002
【特許請求の範囲】
【請求項１】
分電盤に収容される回路遮断器の操作ハンドルに対する不用な入切操作を防止するためのハンドル操作抑制部材であって，前記回路遮断器の操作ハンドルを被包するハンドル被包部と，該ハンドル被包部から前記回路遮断器の電源側に延設された延設部と，該ハンドル被包部から前記回路遮断器の負荷側に延設された延設部とが設けられ，前記電源側に延設された延設部には，前記分電盤に収容される主開閉器から分岐開閉器に電源を供給するための母線を内装する導体装置の絶縁部に取り付されるハンドル操作抑制部材取付手段が設けられ，前記負荷側に延設された延設部は，前記回路遮断器と前記分電盤の外郭を構成するカバーとの間に挟まれるように設けられることを特徴とするハンドル操作抑制部材。
【請求項２】
前記ハンドル操作抑制部材は，弾性体で形成したことを特徴とする請求項１記載のハンドル操作抑制部材。
【請求項３】
前記ハンドル被包部付近において，前記分電盤の前記回路遮断器の取付け面の方向に突出片を延設し，前記ハンドル操作抑制部材の前記回路遮断器の分電盤内における並設方向へのずれを防止することを特徴とする請求項２記載のハンドル操作抑制部材。
【発明の詳細な説明】
【技術分野】
【０００１】
この発明は、分電盤に収容される回路遮断器の操作ハンドルを，入又は切状態に保持し，不用意な操作を防止するためのハンドル操作抑制部材に関するものである。
【背景技術】
【０００２】
回路遮断器の操作ハンドルを，入又は切状態に保持するハンドルをロックする装置として，例えば，入状態にある操作ハンドルにハンドルロックを被せることで操作ハンドルを切方向に回転できないようにしたものがある。（例えば，特許文献１参照）
【０００３】
また，回路遮断器の操作ハンドルにおける摘まみ部にハンドルロック装置を取り付けて，ケースカバーの開口縁に掛止するようにした構成のロックカバーや，該ロックカバーに別な部品を組み合わせて南京錠が掛けられるように構成したものがある。（例えば特許文献２参照）
【０００４】
また，ハンドルロック装置を操作ハンドルに嵌装させるハンドルキャップと，該ハンドルキャップとは別体のピンで形成したものがある。（例えば特許文献３参照）
【０００５】
【特許文献１】特開平７−２２０６０９号
【特許文献２】特開平９−２７０２２４号
【特許文献３】特開平１０−２４１５４１号
【発明の開示】
【発明が解決しようとする課題】
【０００６】
第一の背景技術にあっては，ハンドルロック自体が操作ハンドルに着脱式であるので，該ハンドルロックを紛失してしまうという恐れがあった。
【０００７】
第二の背景技術にあっては，回路遮断器への取り付けに手間がかかり，また，操作ハンドルへの取り付けに際して，Ｕ字形のロックカバーを押し広げながら摘まみ部の外側に係止させるように撓み性を持たせた軟質の樹脂成形品で作られているために十分な強度が確保できず，南京錠を掛けない状態では僅かな外力を加えることで簡単にハンドルから外れてしまうなど，その取り扱い性，信頼性に課題があった。
【０００８】
また，第三の背景技術にあっては，ロックピンとハンドルキャップが別体で形成されている場合には，ハンドルキャップを操作ハンドルに嵌挿する工程と，ロックピンで操作ハンドルとハンドルキャップを一体にする工程が別工程で行われるため，作業が煩雑であると共に，ハンドルキャップまたはロックピンのいずれかを紛失しやすいという課題があった。
【０００９】
そこで本件の発明の目的とするところは，前述したような課題に鑑みてなされたものであり，回路遮断器自体に特別な加工や，操作ハンドルの操作抑制部材の取り付け作業を行わなくとも，該回路遮断器の操作ハンドルの不用な操作の抑制が行え，該回路遮断器が分電盤に収容された状態において，どの回路が不用な操作の抑制対象であるかを容易に判別できるとともに，前記操作ハンドルの抑制部材の紛失の恐れがなく，低コストで，なおかつ，確実に操作ハンドルの不用な操作の抑制を行うことができるハンドル操作抑制部材を提供することを目的としている。
【課題を解決するための手段】
【００１０】
上述の目的を達成するために，本発明の請求項１では，前記回路遮断器の操作ハンドルを被包するハンドル被包部と，該ハンドル被包部から前記回路遮断器の電源側に延設された延設部と，該ハンドル被包部から前記回路遮断器の負荷側に延設された延設部とが設けられ，前記電源側に延設された延設部には，前記分電盤に収容される主開閉器から分岐開閉器に電源を供給するための母線を内装する導体装置の絶縁部に取り付されるハンドル操作抑制部材取付手段が設けられ，前記負荷側に延設された延設部は，前記回路遮断器と前記分電盤の外郭を構成するカバーとの間に挟まれるように設けられることを特徴として分電盤に収容される回路遮断器の操作ハンドルに対する不用な入切操作を防止するためのハンドル操作抑制部材を提供したものである。
【００１１】
これにより、回路遮断器自体にはハンドル操作抑制部材を取り付けるための加工を施すことなく，該回路遮断器が分電盤に収容された状態において，不用な操作の抑制対象であるかを容易に判別できるとともに，前記操作ハンドルの抑制部材の紛失の恐れがなく，低コストで，なおかつ，前記ハンドル被包部により操作ハンドルを被包するように配設させるため，確実に操作ハンドルの不用な操作の抑制を行うことができるハンドル操作抑制部材を提供することができるものである。
【００１２】
また、前記ハンドル操作抑制部材は，弾性体で形成したことを特徴としてハンドル操作抑制部材を提供してもよい。
【００１３】
これにより，前記ハンドル操作抑制部材を一体に成形することにより，特に低コストでハンドル操作抑制部材を提供することができるものである。
【００１４】
また，前記ハンドル被包部付近において，前記分電盤の前記回路遮断器の取付け面の方向に突出片を延設し，前記ハンドル操作抑制部材の前記回路遮断器の分電盤内における並設方向へのずれを防止することを特徴としてハンドル操作抑制部材を提供してもよい。
【００１５】
これにより，前記回路遮断器の電源−負荷側方向と鉛直な方向の並設方向へのずれを防止でき，複数の操作抑制対象回路がある場合においても確実に該操作抑制対象回路の把握ができるとともに，見栄えよくハンドル操作抑制部材を提供することができるものである。
【発明の効果】
【００１６】
本発明によれば、回路遮断器自体に特別な加工や，操作ハンドルの操作抑制部材の取り付け作業を行わなくとも，該回路遮断器の操作ハンドルの不用な操作の抑制が行え，該回路遮断器が分電盤に収容された状態において，どの回路が不用な操作の抑制対象であるかを容易に判別できるとともに，前記操作ハンドルの抑制部材の紛失の恐れがなく，低コストで，なおかつ，確実に操作ハンドルの不用な操作の抑制を行うことができるハンドル操作抑制部材を提供することができるという効果を奏する。
【発明を実施するための最良の形態】
【００１７】
以下，本発明の実施の形態について，図１から図９を用いて詳細に説明する。
図１は、本発明の第一の実施例を示したハンドル操作抑制部材１の外観図を示したものである。該ハンドル操作抑制部材１は，分電盤内に収容された回路遮断器の操作ハンドルが設けられた面に被せるように用いるものである。該ハンドル操作抑制部材１の幅方向は回路遮断器の並設方向の幅方向の大きさとほぼ同一に形成しており，該ハンドル操作抑制部材１は，金属加工により形成してもよいし，樹脂材料で成型により構成してもよい。
【００１８】
ハンドル操作抑制部材１の略中央部には，回路遮断器の操作ハンドルを被包するハンドル被包部１０１が設けられ，一端には該ハンドル被包部１０１から前記回路遮断器の電源側に延設された電源側延設部１０２と，他端には該ハンドル被包部１０１から前記回路遮断器の負荷側に延設された負荷側延設部１０３が設けられている。
【００１９】
前記ハンドル被包部１０１は，前記回路遮断器の操作ハンドルが入状態から切状態になる場合に動作するときの軌跡に干渉することがないような空洞で形成されている。
【００２０】
前記電源側延設部１０２には，該ハンドル操作抑制部材１を取り付固定するための，例えば両面テープなどの粘着部材により構成されたハンドル操作抑制部材取付手段１０２１が設けられており，分電盤に収容される主開閉器から分岐開閉器に電源を供給するための母線を内装する導体装置の絶縁部に取り付される。また，図２に示したように，該電源側延設部１０２には，前記ハンドル操作抑制部材取付手段１０２１を支点として，該ハンドル操作抑制部材を取り付けた抑制状態から非抑制状態に，分電盤に臨んで手前側に前記ハンドル被包部１０１を引き上げ可能なよう，例えば蝶番部材により形成された回動可能部１０２２が設けられる。
【００２１】
前記負荷側延設部１０３には，前記回路遮断器と前記カバーとの間に挟まれる挟まれ部１０３１が設けられる。
【００２２】
次に，本発明のハンドル操作抑制部材１を，分電盤内に収容された回路遮断器に適用した場合について説明を行う。
【００２３】
図３は分電盤２を構成するカバーを取り外した状態の内部構造図，図４は分電盤２を構成するカバーを取り付けた状態の外観図を示している。
【００２４】
２０１は分電盤２の内部機器を収容するボックスで，主開閉器３と，該主開閉器３から分岐回路遮断器４に電源を供給するための各相の母線と，該母線を内装する導体装置２０３と，該導体装置２０３に接続される複数の分岐回路遮断器４とを少なくとも収容している。
【００２５】
２０２はボックス２０１と組み合わせて分電盤の外殻を構成するカバーで，前記主開閉器３及び前記分岐回路遮断器４を分電盤の外部から入切操作可能なように，操作ハンドルに相当する部分には，該操作ハンドルが突出可能なように孔部が設けられている。これらの分電盤は公知のものである。
【００２６】
次に，図５，図６は，前記図３，図４の分電盤にハンドル操作抑制部材１を取り付けた状態を示したものである。
【００２７】
該ハンドル操作抑制部材１の取り付け方法は次のとおりである。
（１）まず，分電盤のカバー２０２を開け，操作を抑制したい回路の分岐回路遮断器の操作ハンドル部にハンドル操作抑制部材１のハンドル被包部１０１をあてがい，位置決めを行う。
（２）次に，ハンドル操作抑制部材取付手段１０２１を前記導体装置２０３に設けられる絶縁カバー２０４に取り付ける。
（３）次に，前記分電盤のカバー２０２を閉じる。このとき，図７に示したように，ハンドル操作抑制部材１の挟まれ部１０３がカバー２０２の一部に挟まれ，位置が固定される。
以上で取り付けを完了する。
【００２８】
ハンドル操作抑制部材１の取り付け後は，図６に示したように，分電盤のカバー２０２に設けられたハンドル操作用の孔から前記ハンドル被包部１０１が突出しているのみで，分電盤の外部からは回路遮断器の操作ハンドルに触れることができず，該操作ハンドルに対する不用な入切操作を行うことができない。
【００２９】
また，前記分電盤のカバー２０２を取外した状態においては，該カバー２０２によるハンドル操作抑制部材１の規制はなくなるが，該ハンドル操作抑制部材１は，前記ハンドル操作抑制部材取付手段１０２１により，導体装置２０３の絶縁カバー２０４に取り付けられているため，依然として，操作ハンドルを被包した状態となっており，操作抑制対象となっている回路遮断器の操作ハンドルに対して，不用な入切操作の抑制を行うことができる。
【００３０】
操作抑制対象となっている回路の回路遮断器を交換する場合には，前記ハンドル操作抑制部材１を手前に引き上げることにより，前記操作抑制対象となっていない回路の回路遮断器を交換する場合と同様に交換作業を行うことができる。回路遮断器自体には特別な加工を施していないため，交換する回路遮断器については，通常の回路遮断器をあてがうことが可能である。
【００３１】
このように，本発明のハンドル操作抑制部材１によれば，回路遮断器の操作ハンドルを被包するように取り付けられるため，該取り付け状態においては，該回路遮断器の操作ハンドルそのものに触れることができないため，確実に不用な操作を抑制することができ，すなわち，回路遮断器自体に特別な加工や，操作ハンドルの操作抑制部材の取り付け作業を行わなくとも，該回路遮断器の操作ハンドルの不用な操作の抑制が行え，該回路遮断器が分電盤に収容された状態において，どの回路が不用な操作の抑制対象であるかを容易に判別できるとともに，前記ハンドル操作抑制部材１は分電盤に収容される導体装置２０３の絶縁カバー２０４に取り付けられるため，前記操作ハンドルの抑制部材を紛失するという恐れがなく，低コストで，なおかつ，確実に操作ハンドルの不用な操作の抑制を行うことができるハンドル操作抑制部材を提供することができるものである。
【００３２】
次に，本発明のハンドル操作抑制部材の第二の実施例について説明を行う。
【００３３】
第二の実施例は，ハンドル操作抑制部材を弾性体を用いて構成した例である。弾性体の材料としては，ＰＥＴ（ポリエチレンテレフタレート）やＡＢＳ樹脂材料などの弾性材料により薄肉のフィルム状に一体成形することが好ましく，第一の実施例と比較して，前記回動可能部１０２２として用いた蝶番部が不要となる点や使用材料を少なくできコストを抑えることができる点が異なる。
【００３４】
該ハンドル操作抑制部材は薄肉のフィルム状に一体成形しており，ハンドル被包部，電源側延設部，負荷側延設部などの構成は第一の実施例と同様である。なお，前記第一の実施例における回動可能部１０２２については，材料の弾性特性を活かして，部材が撓むことによりその機能を持たせて，図１１に示したように分電盤に臨んで手前に引き上げ可能としている。なお，薄くスリットを入れて，折り曲げ可能に成形してもよい。
【００３５】
該ハンドル操作抑制部材１１の取り付け方法は次のとおりである。
（１）まず，分電盤のカバー２０２を開け，操作を抑制したい回路の分岐回路遮断器の操作ハンドル部にハンドル操作抑制部材１１のハンドル被包部１０１をあてがい，位置決めを行う。
（２）次に，ハンドル操作抑制部材取付手段１０２１を前記導体装置２０３に設けられる絶縁カバー２０４に取り付ける。
（３）次に，前記分電盤のカバー２０２を閉じる。このとき，図７に示したように，ハンドル操作抑制部材１１の挟まれ部１０３がカバー２０２の一部に挟まれ，位置が固定される。
以上で取り付けを完了する。
【００３６】
ハンドル操作抑制部材１１の取り付け後は，図６に示したように，分電盤のカバー２０２に設けられたハンドル操作用の孔から前記ハンドル被包部１０１が突出しているのみで，分電盤の外部からは回路遮断器の操作ハンドルに触れることができず，該操作ハンドルに対する不用な入切操作を行うことができない。
【００３７】
また，前記分電盤のカバー２０２を取外した状態においては，該カバー２０２によるハンドル操作抑制部材１１の規制はなくなるが，該ハンドル操作抑制部材１１は，前記ハンドル操作抑制部材取付手段１０２１により，導体装置２０３の絶縁カバー２０４に取り付けられているため，依然として，操作ハンドルを被包した状態となっており，操作抑制対象となっている回路遮断器の操作ハンドルに対して，不用な入切操作の抑制を行うことができる。
【００３８】
操作抑制対象となっている回路の回路遮断器を交換する場合には，前記ハンドル操作抑制部材１１を手前に引き上げることにより，前記操作抑制対象となっていない回路の回路遮断器を交換する場合と同様に交換作業を行うことができる。回路遮断器自体には特別な加工を施していないため，交換する回路遮断器については，通常の回路遮断器をあてがうことが可能である。
【００３９】
このように，本発明のハンドル操作抑制部材１１によれば，回路遮断器の操作ハンドルを被包するように取り付けられるため，該取り付け状態においては，該回路遮断器の操作ハンドルそのものに触れることができないため，確実に不用な操作を抑制することができ，すなわち，回路遮断器自体に特別な加工や，操作ハンドルの操作抑制部材の取り付け作業を行わなくとも，該回路遮断器の操作ハンドルの不用な操作の抑制が行え，該回路遮断器が分電盤に収容された状態において，どの回路が不用な操作の抑制対象であるかを容易に判別できるとともに，前記ハンドル操作抑制部材１１は分電盤に収容される導体装置２０３の絶縁カバー２０４に取り付けられるため，前記操作ハンドルの抑制部材を紛失するという恐れがなく，特に低コストで，なおかつ，確実に操作ハンドルの不用な操作の抑制を行うことができるハンドル操作抑制部材を提供することができるものである。
【００４０】
次に，本発明のハンドル操作抑制部材の第三の実施例について説明を行う。
【００４１】
第三の実施例は，前記ハンドル被包部１０１付近から，前記回路遮断器の取付け面の方向に突出片を延設し，前記ハンドル操作抑制部材の分電盤内における前記回路遮断器の電源−負荷側方向と鉛直な方向である該回路遮断器の並設方向へのずれを防止することを特徴としたものである。第三の実施例を図９に示した。
【００４２】
前記突出片は，図中１０４，１０５で示しており，反対側においても形成されている。該突出片は前記回路遮断器に被せたときに，該回路遮断器を挟むように設けられ，前記回路遮断器の並設方向のずれを防止するものである。
【００４３】
該ハンドル操作抑制部材１２の取り付け方法は次のとおりである。
（１）まず，分電盤のカバー２０２を開け，操作を抑制したい回路の分岐回路遮断器の操作ハンドル部にハンドル操作抑制部材１１のハンドル被包部１０１をあてがい，位置決めを行う。このとき，前記突出片により，回路遮断器の並設方向の位置決めがより確実に行われる。
（２）次に，ハンドル操作抑制部材取付手段１０２１を前記導体装置２０３に設けられる絶縁カバー２０４に取り付ける。
（３）次に，前記分電盤のカバー２０２を閉じる。このとき，図７に示したように，ハンドル操作抑制部材１１の挟まれ部１０３がカバー２０２の一部に挟まれ，位置が固定される。
以上で取り付けを完了する。
【００４４】
第三の実施例においては，ハンドル操作抑制部材１２の回路遮断器の並設方向の位置決めをより正確に行うことができるため，例えば，分電盤２のカバー２０２を閉じる際に，該カバー２０２に設けられた孔部の端縁部にハンドル被包部１０１の外郭が引っ掛かるといったことが生じず，また，複数個のハンドル操作抑制部材を取り付けた際においても，外部からの見栄えよく取り付けることが可能となるものである。
【００４５】
ハンドル操作抑制部材１２の操作ハンドル抑制機能については，前述したとおり，該ハンドル操作抑制部材１２の取り付け後は，図６に示したように，分電盤のカバー２０２に設けられたハンドル操作用の孔から前記ハンドル被包部１０１が突出しているのみで，分電盤の外部からは回路遮断器の操作ハンドルに触れることができず，該操作ハンドルに対する不用な入切操作を行うことができないため，実施例１ならびに実施例２と同等の優れた効果を奏する。
【００４６】
また，前記分電盤のカバー２０２を取外した状態においては，該カバー２０２によるハンドル操作抑制部材１２の規制はなくなるが，該ハンドル操作抑制部材１２は，前記ハンドル操作抑制部材取付手段１０２１により，導体装置２０３の絶縁カバー２０４に取り付けられているため，依然として，操作ハンドルを被包した状態となっており，操作抑制対象となっている回路遮断器の操作ハンドルに対して，不用な入切操作の抑制を行うことができる。
【００４７】
操作抑制対象となっている回路の回路遮断器を交換する場合には，前記ハンドル操作抑制部材１２を手前に引き上げることにより，前記操作抑制対象となっていない回路の回路遮断器を交換する場合と同様に交換作業を行うことができる。回路遮断器自体には特別な加工を施していないため，交換する回路遮断器については，通常の回路遮断器をあてがうことが可能である。
【００４８】
このように，本発明のハンドル操作抑制部材１２によれば，回路遮断器の操作ハンドルを被包するように取り付けられるため，該取り付け状態においては，該回路遮断器の操作ハンドルそのものに触れることができないため，確実に不用な操作を抑制することができ，すなわち，回路遮断器自体に特別な加工や，操作ハンドルの操作抑制部材の取り付け作業を行わなくとも，該回路遮断器の操作ハンドルの不用な操作の抑制が行え，該回路遮断器が分電盤に収容された状態において，どの回路が不用な操作の抑制対象であるかを容易に判別できるとともに，前記ハンドル操作抑制部材１１は分電盤に収容される導体装置２０３の絶縁カバー２０４に取り付けられるため，前記操作ハンドルの抑制部材を紛失するという恐れがなく，低コストで，なおかつ，作業性ならびに見栄えよく確実に操作ハンドルの不用な操作の抑制を行うことができるハンドル操作抑制部材を提供することができるものである。
【００４９】
なお、本発明は、開示した実施例に限定されることなく、発明の要旨を逸脱しない限りにおいて、適宜、必要に応じて、改良や設計変更は自由であり、例えば、前記ハンドル操作抑制部材１における回動可能部１０２２は，蝶番に代えて，薄肉可能を施して折り曲げ可能とした構造としてもよい。また，前記電源側延設部１０２に設けられたハンドル操作抑制部材取付手段１０２１は，粘着による取り付け以外に，前記絶縁カバーと対になる引掛け部を設けて，引掛けることにより構成してもよい。これにより，粘着部を設ける作業工程が省略でき，一体成形のみでハンドル操作抑制部材を提供することが可能となる。また，前記第三の実施例で示した突出片１０４，１０５を，該突出片が引掛けられる前記回路遮断器の操作ハンドルが設けられた前面部分の端縁部の略全体を覆うよう（略帽子状に）一体成形して設けて構成してもよい。
【産業上の利用可能性】
【００５０】
本発明におけるハンドル操作抑制部材は，従来のハンドルロック装置に代えて，分電盤に収容される回路遮断器に適用することができる。
【図面の簡単な説明】
【００５１】
【図１】第一の実施例のハンドル操作抑制部材の外観図である。
【図２】第一の実施例のハンドル操作抑制部材の外観図である。
【図３】分電盤の外観図である。
【図４】分電盤の外観図である。
【図５】ハンドル操作抑制部材を取り付けた状態の分電盤の外観図である。
【図６】ハンドル操作抑制部材を取り付けた状態の分電盤の外観図である。
【図７】ハンドル操作抑制部材と回路遮断器，カバーなどの位置関係を示した図である。
【図８】第二の実施例のハンドル操作抑制部材の外観図である。
【図９】第三の実施例のハンドル操作抑制部材の外観図である。
【図１０】第一の背景技術の例である。
【図１１】第二の背景技術の例である。
【図１２】第三の背景技術の例である。
【符号の説明】
【００５２】
１  ハンドル操作抑制部材
１０１  ハンドル被包部
１０２  電源側延設部
１０２１  ハンドル操作抑制部材取付手段
１０２２  回動可能部
１０３  負荷側延設部
１０３１  挟まれ部
１０４  突出片
１０５  突出片
２  分電盤
２０１  ボックス
２０２  カバー
２０３  導体装置
２０４  絶縁カバー
３  主開閉器
４  分岐回路遮断器
１１  ハンドル操作抑制部材
１２  ハンドル操作抑制部材
【図１】
2008112645.tif 000003
【図２】
2008112645.tif 000004
【図３】
2008112645.tif 000005
【図４】
2008112645.tif 000006
【図５】
2008112645.tif 000007
【図６】
2008112645.tif 000008
【図７】
2008112645.tif 000009
【図８】
2008112645.tif 000010
【図９】
2008112645.tif 000011
【図１０】
2008112645.tif 000012
【図１１】
2008112645.tif 000013
【図１２】
2008112645.tif 000014